【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
画像形成装置であって、
用紙に画像を形成する画像形成部を有する画像形成部筐体と、
前記画像形成部筐体に載置され、用紙の画像を読み取る画像読取部を有する読取部筐体と、
前記画像形成部によって画像形成された用紙を排紙する排紙部と、
前記読取部筐体よりも鉛直方向下方において前記画像読取部と前記画像形成部との間に設けられ、前記排紙部から排紙された用紙が積載される排紙トレイと、
前記排紙トレイよりも手前に形成され前記画像形成装置の外部と前記排紙トレイとを連通する開口と、前記排紙部から排紙される用紙の排紙方向において前記排紙トレイよりも下流に形成された開口と、が連続する開口部と、
前記画像形成装置の手前側において前記読取部筐体と前記画像形成部筐体とのうち一方から他方に向けて突出し前記読取部筐体を支える第１の突起と、前記画像形成装置の奥側において前記読取部筐体と前記画像形成部筐体とのうち一方から他方に向けて突出し前記読取部筐体を支える第２の突起と、前記排紙方向において前記第２の突起よりも上流側で前記読取部筐体と前記画像形成部筐体とのうち一方から他方に向けて突出し前記読取部筐体を支える第３の突起と、
前記第１の突起と前記第２の突起とを結ぶ直線に対して前記第３の突起が配置されている側とは反対側の領域において前記読取部筐体と前記画像形成部筐体とのうち一方から他方に向けて突出した第４の突起であって、鉛直方向において当該他方との間に隙間をあけて設けられた第４の突起と、
前記他方に設けられ前記第４の突起に対向する対向部と、を備え、
前記第４の突起は、前記読取部筐体のうちの前記領域に所定の荷重以上の荷重が加わった場合に前記対向部に当接し、前記開口部に向けて撓んだ前記読取部筐体を前記第１の突起と前記第２の突起と前記第３の突起と共に支え、
前記隙間は前記読取部筐体のうちの前記領域に前記所定の荷重以上の荷重が加わった場合に前記読取部筐体が前記開口部に向けて撓んで塑性変形するよりも前に前記第４の突起と前記対向部とが当接する幅であることを特徴とする画像形成装置。
【請求項２】
前記第１の突起と前記第２の突起と前記第３の突起とは前記読取部筐体に形成されていることを特徴とする請求項１に記載の画像形成装置。
【請求項３】
前記第４の突起は前記画像形成部筐体に形成されていることを特徴とする請求項１または請求項２に記載の画像形成装置。
【請求項４】
前記第１の突起と前記第２の突起と前記第３の突起とは絞り加工によって形成されていることを特徴とする請求項１から請求項３までのいずれか１項に記載の画像形成装置。
【請求項５】
前記第４の突起は絞り加工によって形成されていることを特徴とする請求項１から請求項４までのいずれか１項に記載の画像形成装置。
【請求項６】
前記第４の突起は前記第１の突起よりも前記画像形成装置の手前に位置することを特徴とする請求項１から請求項５までのいずれか１項に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、例えばプリンタやファクシミリ、複写機またはこれらの複数の機能をあわせもつ複合機などの画像形成装置に関する。
【手続補正４】
【補正対象書類名】明細書
【補正対象項目名】０００６
【補正方法】変更
【補正の内容】
【０００６】
本発明は、読取部筐体と画像形成部筐体との間の空間が２方向に連続して開放するような構成において画像読取部筐体に荷重が掛かった場合に画像読取部筐体が塑性変形してしまう虞を低減することができる構成を提供することを目的とする。
【手続補正５】
【補正対象書類名】明細書
【補正対象項目名】０００７
【補正方法】変更
【補正の内容】
【０００７】
本発明は、画像形成装置であって、用紙に画像を形成する画像形成部を有する画像形成部筐体と、前記画像形成部筐体に載置され、用紙の画像を読み取る画像読取部を有する読取部筐体と、前記画像形成部によって画像形成された用紙を排紙する排紙部と、前記読取部筐体よりも鉛直方向下方において前記画像読取部と前記画像形成部との間に設けられ、前記排紙部から排紙された用紙が積載される排紙トレイと、前記排紙トレイよりも手前に形成され前記画像形成装置の外部と前記排紙トレイとを連通する開口と、前記排紙部から排紙される用紙の排紙方向において前記排紙トレイよりも下流に形成された開口と、が連続する開口部と、前記画像形成装置の手前側において前記読取部筐体と前記画像形成部筐体とのうち一方から他方に向けて突出し前記読取部筐体を支える第１の突起と、前記画像形成装置の奥側において前記読取部筐体と前記画像形成部筐体とのうち一方から他方に向けて突出し前記読取部筐体を支える第２の突起と、前記排紙方向において前記第２の突起よりも上流側で前記読取部筐体と前記画像形成部筐体とのうち一方から他方に向けて突出し前記読取部筐体を支える第３の突起と、前記第１の突起と前記第２の突起とを結ぶ直線に対して前記第３の突起が配置されている側とは反対側の領域において前記読取部筐体と前記画像形成部筐体とのうち一方から他方に向けて突出した第４の突起であって、鉛直方向において当該他方との間に隙間をあけて設けられた第４の突起と、前記他方に設けられ前記第４の突起に対向する対向部と、を備え、前記第４の突起は、前記読取部筐体のうちの前記領域に所定の荷重以上の荷重が加わった場合に前記対向部に当接し、前記開口部に向けて撓んだ前記読取部筐体を前記第１の突起と前記第２の突起と前記第３の突起と共に支え、前記隙間は前記読取部筐体のうちの前記領域に前記所定の荷重以上の荷重が加わった場合に前記読取部筐体が前記開口部に向けて撓んで塑性変形するよりも前に前記第４の突起と前記対向部とが当接する幅であることを特徴とする。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明によれば、読取部筐体と画像形成部筐体との間の空間が２方向に連続して開放するような構成において画像読取部筐体に荷重が掛かった場合に画像読取部筐体が塑性変形してしまう虞を低減することができる。
【手続補正８】
【補正対象書類名】明細書
【補正対象項目名】００１５
【補正方法】変更
【補正の内容】
【００１５】
記録材Ｓは、画像が形成された状態で定着装置１９に搬送され、定着装置１９で加熱、加圧されることにより記録材Ｓに画像が定着される。その後、画像が定着された記録材（用紙）Ｓは、排紙部としての排出部２０より、排紙トレイとしての排出トレイ２１上に排出される。排出トレイ２１は、画像読取装置４００ａと画像形成装置本体１ａとの間の空間Ｐに設けられている。空間Ｐは、画像形成装置１の前面と片側の側面（図示の例では左側面）との２方向が連続して開放している。言い換えれば、空間Ｐは、後面と他側の側面（図示の例では右側面）とが連続して覆われ、前面、片側の側面、前面と片側の側面との角部は、それぞれ開放されている。これにより、排出トレイ２１に排出された記録材を、ユーザが前面又は片側の側面から取り出し易くしている。
【手続補正９】
【補正対象書類名】明細書
【補正対象項目名】００１９
【補正方法】変更
【補正の内容】
【００１９】
［構造体］
上述のように画像形成部３００を支持する画像形成部筐体１００と、画像読取部４００を支持する読取部筐体としての画像読取部筐体８００とを備えた画像形成装置の構造体５００の概略構成について、図２を用いて説明する。画像形成部筐体１００は、画像読取部筐体８００の下方に配置され、上部に画像読取部筐体８００が載置された状態で画像読取部筐体８００と接続される。以下、それぞれの構成について詳しく説明する。
【手続補正１０】
【補正対象書類名】明細書
【補正対象項目名】００３４
【補正方法】変更
【補正の内容】
【００３４】
本実施形態の場合、３個の支持部８０１〜８０３が設けられており、画像形成部筐体１００に対して画像読取部筐体８００が３個所で支持（３点支持）される。支持部８０１、８０２、８０３は、底板部８１０の上述の２辺の近傍の３個所に、それぞれ下方に向けて突出するように形成されている。即ち、第２の突起としての支持部８０１は、底板部８１０の左側面側と後面側との角部近傍に、第３の突起としての支持部８０２は、底板部８１０の右側面側と後面側との角部近傍に、第１の突起としての支持部８０３は、底板部８１０の右側面側と前面側との角部近傍に、それぞれ形成されている。各支持部８０１〜８０３は、後述する図５（ａ）に示すように、底板部８１０のそれぞれの位置に、下方に突出するように絞り加工を施すことで形成されている。なお、図５（ａ）では支持部８０３のみ図示されているが、支持部８０１、８０２も同様である。
【手続補正１１】
【補正対象書類名】明細書
【補正対象項目名】００３９
【補正方法】変更
【補正の内容】
【００３９】
［補助支持部］
そこで、本実施形態では、図５及び図６に示すように、第４の突起としての補助支持部１０９ａを設けてこのような歪みを抑制している。補助支持部１０９ａは、載置部としての右上ステイ１０９の上面に設けられ、外部から画像読取部筐体８００に荷重がかかっていない状態で画像読取部筐体８００の一部との間に隙間を有する。一方、補助支持部１０９ａは、外部から画像読取部筐体８００の右上ステイ１０９及び折曲板部１０２ａから外れた位置の上部に下方に向かって所定の荷重以上の荷重がかかった場合に画像読取部筐体８００一部と接触する。そして、画像読取部筐体８００を画像形成部筐体１００に対して支持する。
【手続補正１２】
【補正対象書類名】明細書
【補正対象項目名】００４０
【補正方法】変更
【補正の内容】
【００４０】
より具体的に説明する。補助支持部１０９ａは、図５（ａ）に示すように、１個の支持部８０３よりも空間側に、画像読取部筐体８００の底板部（対向部）８１０との間に所定の隙間Ｔを有する状態で設けられている。このような補助支持部１０９ａは、板金に曲げ加工を施すことにより形成された右上ステイ１０９の空間Ｐ側の一部に、上方に突出するように絞り加工を施すことで形成される。そして、図５（ｂ）に示すように、補助支持部１０９ａの頂点と底板部８１０の下面との間に所定の隙間Ｔを介在させている。